【手続補正書】
【提出日】平成23年10月6日(2011.10.6)
【手続補正１】
【補正対象書類名】特許請求の範囲
【補正対象項目名】全文
【補正方法】変更
【補正の内容】
【特許請求の範囲】
【請求項１】
画像読取機能を具備する周辺装置においてスキャンを実行し、読み取った原稿データを前記周辺装置に接続されたホストコンピュータ上で起動するアプリケーションに転送して表示する画像処理方法において、
スキャンの開始を指示するスキャン開始イベントを前記周辺装置から受信した前記ホストコンピュータの指示に従って、前記ホストコンピュータ上でアクティブなアプリケーションの実行パスを、前記ホストコンピュータが有する情報から取得する取得工程と、
前記周辺装置が読み取った原稿データを前記アクティブなアプリケーションで表示することが可能なデータ形式に変換する変換工程と、
前記取得工程で取得された前記実行パスを用いて、前記変換工程により変換された原稿データを前記アクティブなアプリケーションに転送する転送工程と、
を有することを特徴とする画像処理方法。
【請求項２】
請求項１において、
前記アクティブなアプリケーションに転送する原稿データのデータ形式を、画像データのみを転送するのか、または画像データから文字を識別してテキストデータに変換したデータのみを転送するのか、または画像データとテキストデータとの両方を転送するのか、または画像データに変換した原稿データを転送するのかを、ユーザに選択させる選択工程を更に有し、
前記変換工程は、前記選択工程の選択結果に従って前記原稿データを変換する工程であることを特徴とする画像処理方法。
【請求項３】
請求項１において、
前記アクティブなアプリケーションに転送する原稿データのデータ形式を、前記原稿データの画像データのみを転送するのか、または画像データから文字を識別してテキストデータに変換したデータのみを転送するのか、または画像データとテキストデータとの両方を転送するのか、または画像データに変更した原稿データを転送するのかを、前記アクティブなアプリケーションから判断する判断工程を更に有し、
前記変換工程は、原稿データを解析した結果に基づいて、前記判断工程で判断されたデータ形式に前記原稿データを変換する工程であることを特徴とする画像処理方法。
【請求項４】
請求項１から請求項３において、
前記転送工程は、前記アクティブなアプリケーションに前記原稿データを転送する際に、データの形式を示す情報を付加して、前記原稿データを転送する工程であることを特徴とする画像処理方法。
【請求項５】
請求項２から請求項４のいずれか１項において、
前記転送工程は、前記転送した原稿のデータ形式と転送先のアプリケーションの実行パスとを保持し、前回と同じアプリケーションに転送する場合、転送する画像データ形式の選択や画像データの解析をせずに前回と同じデータ形式で転送する工程であることを特徴とする画像処理方法。
【請求項６】
請求項１から請求項５のいずれか１項において、
前記転送工程は、上記アクティブであるアプリケーションが存在しない場合、前記ホストコンピュータ上でウィンドウが最前面にあるアプリケーションにデータを転送する工程であることを特徴とする画像処理方法。
【請求項７】
請求項６において、
前記ウィンドウの最前面は、ウィンドウの重なりの順番を示す情報が一番上である面であることを特徴とする画像処理方法。
【請求項８】
請求項６において、
前記転送工程は、データ転送を行わない特定のウィンドウに関する情報を保持し、前記特定のウィンドウが最前面となる場合、その背面にあるウィンドウのアプリケーションに対してデータを転送する工程であることを特徴とする画像処理方法。
【請求項９】
請求項１から請求項８のいずれか１項に記載の画像処理方法を実行させるプログラム。
【請求項１０】
請求項１から請求項８のいずれか１項に記載の画像処理方法を実行させるプログラムを格納したことを特徴とするコンピュータが読み取り可能な記憶媒体。
【請求項１１】
画像読取機能を具備する周辺装置においてスキャンを実行し、読み取った原稿データを前記周辺装置に接続されたホストコンピュータ上で起動するアプリケーションに転送して表示する画像処理装置において、
スキャンの開始を指示するスキャン開始イベントを前記周辺装置から受信した前記ホストコンピュータの指示に従って、前記ホストコンピュータ上でアクティブなアプリケーションの実行パスを、前記ホストコンピュータが有する情報から取得する取得手段と、
前記周辺装置が読み取った原稿データを前記アクティブなアプリケーションで表示することが可能なデータ形式に変換する変換手段と、
前記取得手段が取得した前記実行パスを用いて、前記変換手段が変換した原稿データを前記アクティブなアプリケーションに転送する転送手段と、
を有することを特徴とする画像処理装置。
【請求項１２】
請求項１１において、
前記アクティブなアプリケーションに転送する原稿データのデータ形式を、画像データのみを転送するのか、または画像データから文字を識別してテキストデータに変換したデータのみを転送するのか、または画像データとテキストデータとの両方を転送するのか、または画像データに変換した原稿データを転送するのかを、ユーザに選択させる選択手段を更に有し、
前記変換手段は、前記選択手段による選択結果に従って前記原稿データを変換する手段であることを特徴とする画像処理装置。
【請求項１３】
請求項１１において、
前記アクティブなアプリケーションに転送する原稿データのデータ形式を、前記原稿データの画像データのみを転送するのか、または画像データから文字を識別してテキストデータに変換したデータのみを転送するのか、または画像データとテキストデータとの両方を転送するのか、または画像データに変更した原稿データを転送するのかを、前記アクティブなアプリケーションから判断する判断手段を更に有し、
前記変換手段は、原稿データを解析した結果に基づいて、前記判断手段が判断したデータ形式に前記原稿データを変換する手段であることを特徴とする画像処理装置。
【請求項１４】
請求項１１から請求項１３において、
前記転送手段は、前記アクティブなアプリケーションに前記原稿データを転送する際に、データの形式を示す情報を付加して、前記原稿データを転送する手段であることを特徴とする画像処理装置。
【請求項１５】
請求項１２から請求項１４のいずれか１項において、
前記転送手段は、前記転送した原稿のデータ形式と転送先のアプリケーションの実行パスとを保持し、前回と同じアプリケーションに転送する場合、転送する画像データ形式の選択や画像データの解析をせずに前回と同じデータ形式で転送する手段であることを特徴とする画像処理装置。
【請求項１６】
請求項１１から請求項１５のいずれか１項において、
前記転送手段は、上記アクティブであるアプリケーションが存在しない場合、前記ホストコンピュータ上でウィンドウが最前面にあるアプリケーションにデータを転送する手段であることを特徴とする画像処理装置。
【請求項１７】
請求項１６において、
前記ウィンドウの最前面は、ウィンドウの重なりの順番を示す情報が一番上である面であることを特徴とする画像処理装置。
【請求項１８】
請求項１６において、
前記転送手段は、データ転送を行わない特定のウィンドウに関する情報を保持し、前記特定のウィンドウが最前面となる場合、その背面にあるウィンドウのアプリケーションに対してデータを転送する手段であることを特徴とする画像処理装置。
【手続補正２】
【補正対象書類名】明細書
【補正対象項目名】０００８
【補正方法】変更
【補正の内容】
【０００８】
本発明の画像処理方法は、画像読取機能を具備する周辺装置においてスキャンを実行し、読み取った原稿データを前記周辺装置に接続されたホストコンピュータ上で起動するアプリケーションに転送して表示する画像処理方法において、スキャンの開始を指示するスキャン開始イベントを前記周辺装置から受信した前記ホストコンピュータの指示に従って、前記ホストコンピュータ上でアクティブなアプリケーションの実行パスを、前記ホストコンピュータが有する情報から取得する取得工程と、前記周辺装置が読み取った原稿データを前記アクティブなアプリケーションで表示することが可能なデータ形式に変換する変換工程と、前記取得工程で取得された前記実行パスを用いて、前記変換工程により変換された原稿データを前記アクティブなアプリケーションに転送する転送工程とを有することを特徴とする。